(57)【要約】【課題】容易に精度よく磁気カード４を読み取ることができるカードリーダ１および情報端末装置１０を提供し、利用者の利便性を向上させることを目的とする。【解決手段】磁気カード４に記憶された磁気情報を読み取る磁気ヘッド３を有するカードリーダ１と、画面表示を行うディスプレイ１４と、前記ディスプレイ１４を支える制御装置１３と、前記制御装置１３と前記ディスプレイ１４との接続部位で前記ディスプレイ１４の画面角度を変更可能に支持する支持軸１５とを備えた情報端末装置１０であって、前記カードリーダ１は、前記ディスプレイ１４に固定され、該カードリーダ１に、操作者の手動による磁気カード４のスライド動作を規制するカードフォルダ５，５ａ，７，８を備えた。【選択図】図４
2011227599.tif 000002
【特許請求の範囲】
【請求項１】
カードに記憶されたカード情報を読み取るカード情報読取手段を有するカードリーダと、
画面表示を行う表示装置と、
前記表示装置を支える支持台と、
前記支持台と前記表示装置との接続部位で前記表示装置の画面角度を変更可能に支持する可動支持部とを備え、
前記カードリーダは、前記表示装置に固定され、
該カードリーダに、操作者の手動によるカードのスライド動作を規制するカードフォルダを備えた
情報端末装置。
【請求項２】
前記カードフォルダのスライド移動を規制するガイドを備え、
前記カードフォルダは、前記カードと共に前記ガイドに沿ってスライド移動する構成である
請求項１記載の情報端末装置。
【請求項３】
前記カードフォルダに、
スライド移動をロックするロック手段を備え、
該ロック手段は、前記カードが正しい姿勢で装着されるとロック解除してスライド移動を許容する構成である
請求項１または２記載の情報端末装置。
【請求項４】
前記カードフォルダは、
前記カードの平面に当接する平面当接部と、
前記カードの側辺を係止する側辺係止部と、
前記カードが前記平面当接部に当接される際に該平面当接部を該カードの反対側へ傾倒許容する平面傾倒支持部と、
前記カードが前記側辺係止部に係止される際に該側辺係止部を該カードの反対側へ傾倒許容する側辺傾倒支持部とを備え、
前記平面当接部と前記側辺係止部に、該平面当接部と該側辺係止部の一方が傾倒されると他方も連動して傾倒させる連動連結部材を備えた
請求項１、２、または３記載の情報端末装置。
【請求項５】
前記カードフォルダは、
前記カードの平面に当接する平面当接部と、
該平面当接部から前記カード側へ突出して前記カードの側辺を係止する側辺係止部とを備え、
前記側辺係止部は、前記平面当接部に装着されたカードに近づく方向と遠ざかる方向へ回動可能に前記平面当接部に軸支された
請求項１、２、または３記載の情報端末装置。
【請求項６】
前記カードフォルダは、
前記カードの平面に当接する平面当接部と、
該平面当接部から前記カード側へ突出して前記カードの側辺を係止する側辺係止部とを備え、
前記平面当接部に、
前記スライド動作の方向へ長い長穴を備えた
請求項１記載の情報端末装置。
【請求項７】
カードに記憶されたカード情報を読み取るカード情報読取手段と、
操作者の手動によるカードのスライド動作を規制するカードフォルダとを備えた
カードリーダ。
【発明の詳細な説明】
【技術分野】
【０００１】
この発明は、例えば磁気カードなどの情報を記憶するカードを読み取って処理するようなカードリーダおよび該カードリーダを備えた情報端末装置に関する。
【背景技術】
【０００２】
従来、磁気カードをスライド溝にスライドさせて該磁気カードの磁気情報を読み取るカードリーダが提供されている。このようなカードリーダにおいては、スライド溝に磁気カードの側辺をしっかりと接触させた状態で該磁気カードをスライドさせることが必要となる。これは、磁気カードの姿勢が傾いている、あるいは磁気カードの挿入深さが不適切であるといった状態でスライドされると、磁気情報を記憶している磁気ストライプに対してカードリーダの磁気ヘッドが正しい対向位置とならず、読み取り不良となるからである。
【０００３】
特に、カードリーダのスライド溝の角度や位置が異なると、ある角度や位置では問題なく読み取らせることができても、別の角度や位置に変更されると正しく読み取らせることが難しくなるという事態も生じ得る。
【０００４】
近年、表示装置の横にカードリーダを実装した製品が商品化されている。このような表示装置は、画面の角度を調節できるように構成されている。従って、見やすいように画面の角度が調整されることになり、カードリーダに磁気カードをスライド移動させやすい角度とはならない。このため、上述した読み取り不良が発生する可能性が高まり、読み取り不良が頻発するという問題点がある。
【０００５】
このようなスライド動作による読み取り不良を防止するものとして、磁気カードにガイドレールを設け、カードリーダにガイドピンを設けて、これにより、読取不良の発生を防止する方法が提案されている（特許文献１参照）。
【０００６】
しかし、この方法は、磁気カードそのものにガイドレールを設ける必要があり、利用者に対して新規にガイドレール付き磁気カードを発行しなければならないという問題点があった。このため、既に磁気カードを導入している企業等にとって高コストとなる問題点があった。また、既に流通しているクレジットカード等のカードにもそのまま適用できないという問題点があった。
【先行技術文献】
【特許文献】
【０００７】
【特許文献１】特許第３１１９６２６号公報
【発明の概要】
【発明が解決しようとする課題】
【０００８】
この発明は、上述した問題点に鑑み、容易に精度よくカードを読み取ることができるカードリーダおよび情報端末装置を提供し、利用者の利便性を向上させることを目的とする。
【課題を解決するための手段】
【０００９】
この発明は、カードに記憶されたカード情報を読み取るカード情報読取手段を有するカードリーダと、画面表示を行う表示装置と、前記表示装置を支える支持台と、前記支持台と前記表示装置との接続部位で前記表示装置の画面角度を変更可能に支持する可動支持部とを備え、前記カードリーダは、前記表示装置に固定され、該カードリーダに、操作者の手動によるカードのスライド動作を規制するカードフォルダを備えた情報端末装置であることを特徴とする。
【発明の効果】
【００１０】
この発明により、容易に精度よくカードを読み取ることができる。特に、表示装置に取り付けられたカードリーダで適宜角度変更がなされるような場合に、どのような角度になっていても適切に読み取らせることを容易に実現することができる。
【図面の簡単な説明】
【００１１】
【図１】情報端末装置の外観を説明する説明図。
【図２】情報端末装置の構成を示すブロック図。
【図３】カードリーダの正面の上端部付近を拡大して示す拡大斜視図。
【図４】カードリーダの外観を説明する説明図。
【図５】カードフォルダの構成の説明図。
【図６】実施例２のカードフォルダの外観を示す構成図。
【図７】実施例３のカードフォルダの斜視図。
【図８】実施例３のカードフォルダの外観を示す説明図。
【図９】実施例４のカードフォルダの斜視図。
【図１０】実施例４のカードフォルダの外観を示す説明図。
【図１１】実施例４のカードフォルダを拡大して説明する説明図。
【発明を実施するための形態】
【００１２】
この発明の一実施形態を以下図面と共に説明する。  
【実施例１】
【００１３】
図１は、実施例１の情報端末装置１０の外観を説明する説明図であり、図２は、情報端末装置１０の構成を示すブロック図である。  
情報端末装置１０は、図１（Ａ）の正面図に示すように、制御装置１３と、表示装置としてのディスプレイ１４と、カードリーダ１とで主に構成されている。
【００１４】
制御装置１３は、内部に制御部や記憶部といったハードウェアを筐体に収納したものであり、適度の重量を有している。この制御装置１３は、ディスプレイ１４を支える支持台としても機能する。
【００１５】
ディスプレイ１４は、制御装置１３の制御に従って画面表示を行うものであり、図１（Ｂ）の右側面図に示すように、可動支持部としての支持軸１５によって制御装置１３に傾倒可能に接続されている。この支持軸１５により、ディスプレイ１４は、図１（Ｂ）に陰線で示す立位状態から実線で示す傾斜状態まで、適宜の角度に調節することができる。
【００１６】
カードリーダ１は、ディスプレイ１４の右側辺の上部付近に固定されている。従って、ディスプレイ１４の角度が変更されると、これに伴ってカードリーダ１の角度も変更される。
【００１７】
ディスプレイ１４を介して制御装置１３に電気的に接続されるカードリーダ１は、図２に示すように、ＡＤ変換回路１２、増幅回路１１、およびカード情報読取手段としての磁気ヘッド３を備えている。磁気ヘッド３は、磁気カードの磁気ストライプが通過すると、該磁気ストライプに記憶されたカード情報としての磁気情報を読み取る。
【００１８】
この磁気ヘッド３で読み取った磁気情報は、増幅回路１１で信号増幅され、ＡＤ変換回路１２でアナログ信号からディジタル信号へ変換され、上位の制御装置１３に伝達される。
【００１９】
図３は、カードリーダ１の正面の上端部付近を拡大して示す拡大斜視図であり、図４は、カードリーダ１の外観を説明する説明図であり、図５はカードフォルダ５の構成の説明図である。
【００２０】
図３に示すように、カードリーダ１は、正面に上下方向へ長いスライド溝２が設けられている。このスライド溝２は、カードの一種である磁気カード４の長手方向の長さより長く、例えば２倍程度かそれ以上の長さに形成されている。
【００２１】
スライド溝２の片側には、該スライド溝２と並行に上下方向に長いレール６が設けられている。このレール６には、カードフォルダ５がスライド可能に取り付けられており、ガイドとして機能する。
【００２２】
図４（Ａ）の正面図に示すように、スライド溝２の上下方向中央付近には、磁気ヘッド３が設けられている。この磁気ヘッド３は、図４（Ｃ）の底面図に示すように、スライド溝２の高さの中間あたりの位置に設けられており、図４（Ｂ）の右側面図に示すように、磁気カード４がスライド溝２の奥まで差し込まれてスライドされると、該磁気カード４の磁気ストライプ４ａに対向して該磁気ストライプ４ａに磁気的に記憶されている磁気情報を読み取る。
【００２３】
図５（Ａ）の底面視断面図に示すように、カードフォルダ５は、レール６内をスライド移動する台座１０３に支持部分１０２の一辺部（図示底辺）が起立状態に設けられ、該支持部分１０２の反対辺部（図示上辺）にスライド溝２側へ略直角に突出する引っ掛け部分１０１が設けられている。
【００２４】
支持部分１０２は、板状の部材であり、図４（Ｃ）に示したように、スライド溝２に挿入された状態の磁気カード４の高さと同じくらいか少し高い高さに形成されており、磁気カード４の平面に当接する平面当接部として機能する。また、支持部分１０２の図示底面は、図５（Ａ）に示すようにリンク１０５（平面傾倒支持部）側が台座１０３へ向かって突出する傾斜面に形成されている。これにより、支持部分１０２がリンク１０５を軸にスライド溝２から遠ざかる側へ傾倒できる。
【００２５】
台座１０３と支持部分１０２は、接続部分のスライド溝２側に設けられたリンク１０５で接続され、支持部分１０２と引っ掛け部分１０１は、接続部分のスライド溝２側に設けられたリンク１０４（側辺傾倒支持部）で接続されている。このリンク１０４，１０５は、ねじりばねの機構を有し、定常時は所定の角度を保持し、力を加えるとある一定量の稼動が可能である。
【００２６】
また、引っ掛け部分１０１は、支持部分１０２の中を通るワイヤー１０６により、台座１０３と接続される。このワイヤー１０６は、台座１０３におけるスライド溝２から遠い位置に一旦が取り付けられ、リンク１０５のスライド溝２側を通って支持部分１０２の内部を上方へ通り、リンク１０４のスライド溝２から遠い側を通って他端が引っ掛け部分１０１に接続されており、連動連結部材として機能する。
【００２７】
これにより、引っ掛け部分１０１が支持部分１０２に対してリンク１０４で回動して角度変更する動作と、支持部分１０２が台座１０３とに対してリンク１０５で回動して角度変更する動作とが、連動するように構成されている。
【００２８】
このように構成されたカードリーダ１のスライド溝２に磁気カード４をセットするとき、操作者は、図５（Ｂ）の矢印Ａの方向に示すようにスライド溝２側からカードフォルダ５の支持部分１０２を外側に倒しながら磁気カード４をセットする。このとき、支持部分１０２は、矢印Ｂに示す方向（スライド溝２から遠ざかる方向）にリンク１０５を回転の軸として動作する。そうすると、ワイヤー１０６が引っ掛け部分１０１を引っ張り、引っ掛け部分１０１が矢印Ｃの方向（スライド溝２から遠ざかる方向）にリンク１０４を回転の軸として動作する。
【００２９】
これにより、磁気カード４をスライド溝２に挿入する際に、引っ掛け部分１０１が邪魔になることを防止でき、操作者は、引っ掛け部分１０１を意識することなく、簡単に磁気カード４をセットすることができる。
【００３０】
このようにして磁気カード４がスライド溝２に奥まで挿入されると、リンク１０５のねじりばね機構によって支持部分１０２がもとの垂直状態に戻り、リンク１０４のねじりばね機構によって引っ掛け部分１０１がもとの水平状態に戻って側辺係止部として機能し、磁気カード４を保持する。
【００３１】
磁気カード４をセットした後、操作者は、磁気カード４とカードフォルダ５を一緒に持ってスライドさせる。このとき、カードフォルダ５は、台座１０３がレール６に沿って動作することによりスライドする。そして、カードフォルダ５に保持された磁気カード４は、スライド溝２をスライドし、磁気ストライプの磁気情報が磁気ヘッド３に読み取られる。
【００３２】
レール６は、磁気ヘッド３の部分だけ幅を狭くした幅狭部６ａを有している。これにより、カードフォルダ５の支持部分１０２が外側に広がることを強制し、より安定したスライド動作を可能とする。
【００３３】
このようにして磁気カード４をスライドし終わった後、磁気カード４を取り除く場合、上述したセットする場合と同様にカードフォルダ５を矢印Ａの方向に倒すことで、磁気カード４を簡単に取り除くことが可能となる。
【００３４】
以上の構成および動作により、容易に精度よく磁気カード４の磁気情報を読み取ることができるカードリーダ１を提供することができる。すなわち、磁気カード４は、スライド溝２へ挿入すると、カードフォルダ５によって保持されてスライドする際の角度が規制されるから、磁気ストライプ４ａに磁気ヘッド３を確実に対向させて磁気情報を良好に読み取ることができる。
【００３５】
特に、カードリーダ１の取り付けられているディスプレイ１４の角度が適宜変更されてどのような角度になっていても、これに伴って角度変更されたカードリーダ１のスライド溝２に対してカードフォルダ５の位置や角度は変化せずに一定である。このため、ディスプレイ１４がどのような角度に変更されても、磁気カード４をカードフォルダ５で規制してスライド溝２に適切に挿入しスライドさせることができ、適切に読み取らせることを容易に実現することができる。
【００３６】
磁気カード４をスライド溝２へ挿入する際には、カードフォルダ５の支持部分１０２を外側へ傾倒して磁気カード４をスライド溝２へ容易に挿入することができる。またこのとき、リンク１０４，１０５およびワイヤー１０６によって支持部分１０２の傾倒に連動して引っ掛け部分１０１が外側へ広がるため、操作者は引っ掛け部分１０１を気にすることなく磁気カード４をスライド溝２へ挿入することができる。
【００３７】
また、スライド溝２に挿入された磁気カード４は、スライド溝２の底面と引っ掛け部分１０１とによりスライド方向と直交する方向に挟まれる。これにより、スライド溝２に挿入した磁気カード４をカードフォルダ５と共にスライドさせるとき、カードフォルダ５の引っ掛け部分１０１で磁気カード４の一辺が係止され、磁気カード４が抜けてしまうことや、磁気カード４が読み取れない角度に傾くことを防止できる。
【００３８】
従って、常に磁気カード４をスライド溝２に並行にしている常態でスライドさせることができ、磁気ストライプ４ａの磁気情報を磁気ヘッド３で確実に読み取ることができる。特に、磁気カード４は、スライド溝２と引っ掛け部分１０１とで短手方向両側に設けられた長辺部分を挟み込まれて保持されるため、スライド溝２に対して並行な状態を確実に維持でき、良好な読み取りを実現することができる。
【００３９】
また、レール６がスライド溝２と並行に設けられているため、カードフォルダ５は、スライド溝２をスライドする磁気カード４と常に同じ方向へ同じ位置対応でスライド移動できる。従って、操作者は安定して磁気カード４とカードフォルダ５をスライドさせることができる。
【００４０】
また、磁気カード４をスライドさせて読取りを行う際に、引っ掛け部分１０１に抜け止めされている磁気カード４を操作者がスライドの途中で引き上げてしまうことができないため、従来のように途中で引き上げられることによる読取不良の発生を防止することができる。
【実施例２】
【００４１】
図６は、実施例２のカードフォルダ５Ａの外観を示す底面視断面図である。  
カードフォルダ５Ａは、カードリーダ１のレール６内をスライド移動する台座２０３に支持部分２０２が立設されており、該支持部分２０２の上端に引っ掛け部分２０１が接続されている。  
台座２０３と支持部分２０２は、同一の部品として一体形成されており、第１の実施形態のように、外側には開かない。
【００４２】
引っ掛け部分２０１は、リンク２０４によって揺動可能に支持部分２０２に接続されている。この引っ掛け部分２０１は、矢印Ｄ、Ｅに示す方向であるスライド溝２に近づく方向および遠ざかる方向に可動できる。また、この引っ掛け部分２０１の先端部分の上下両側にテーパーを設けてテーパ面２０１ａが形成されている。これにより、上方向からのカードを差し込む動作の場合には、引っ掛け部分２０１が矢印Ｄに示すレール６に近づく方向へ回転し、下方向からのカードを抜き取る動作の場合には、引っ掛け部分２０１が矢印Ｅに示すレール６から離れる方向へ回転する。これにより、磁気カード４をストレス無く操作することができる。
【００４３】
リンク２０４は、ねじりばねの機構を有し、定常時は所定の角度を保持し、力を加えるとある一定量の可動できる。  
その他の構成は、実施例１と同一であるため、同一要素に同一符号を付してその詳細な説明を省略する。
【００４４】
以上に説明した第２の実施例においても、第１の実施例同様、磁気カード４をセットした後、磁気カード４とカードフォルダ５Ａを一緒に持ちスライドし、スライドし終わった後、磁気カード４を取り除くことができる。
【００４５】
上下方向からの磁気カード４のセット動作や取出し動作を行うとき、引っ掛け部分２０１が回転することにより磁気カード４のセット動作や取り出し動作をスムーズに行うことができ、簡単に操作することができる。また、引っ掛け部分２０１の先端部にテーパ面２０１ａが設けられているため、磁気カード４のセット動作や取り出し動作の際に磁気カード４がスムーズに引っ掛け部分２０１の上下へ移動することができる。
【実施例３】
【００４６】
図７は、実施例３のカードフォルダ７の斜視図を示し、図８は、カードフォルダ７の外観を示す説明図である。  
図７に示すように、カードフォルダ７は、カードリーダ１のスライド溝２の一方の縁に立設して設けられている。このカードフォルダ７は、上述した実施例１，２と異なり、カードリーダ１に固定されている。
【００４７】
このカードフォルダ７は、板状部材が断面逆Ｌ字型に曲げられた一体形成品であり、平面当接部としての支持部分７ｅの上端部がスライド溝２側へ屈曲して側辺係止部として機能する引っ掛け部分７ｄが設けられている。
【００４８】
カードフォルダ７は、図８（Ａ）の正面図に示すように、スライド溝２と並行に、磁気カード４の長手方向の長さよりも十分に長く形成されている。そして、該カードフォルダ７は、スライド溝２のスライド方向中央に設けられた磁気ヘッド３の位置を中心としてスライド方向に長く配置されている。
【００４９】
カードフォルダ７の高さは、図８（Ｂ）の底面図に示すように、スライド溝２に挿入された磁気カード４の上端に引っ掛け部分７ｄの下面が接触するか近接する高さに形成されている。
【００５０】
このカードフォルダ７の支持部分７ｅには、スライド方向に長い長穴としての開口部分７ａが設けられている。この開口部分７ａは、支持部分７ｅの高さ方向中央部で、支持部分７ｅのスライド方向の端部近傍まで続く長円形状に形成されている。
【００５１】
開口部分７ａの高さ方向の幅は、普通人の親指と人差し指が入る程度の大きさに形成されている。カードフォルダ７における開口部分７ａのスライド方向両端には、支持柱部７ｂが設けられている。この支持柱部７ｂの開口部分７ａ側には、図８（Ｄ）の拡大断面図に示すように、開口部分７ａに向かって肉厚が薄くなるテーパ面７ｃが表裏両面に設けられている。このテーパ面７ｃは、カードフォルダ７に保持させた磁気カード４を開口部分７ａに挿入した指で保持しやすくするために十分なテーパに構成されている。また、支持柱部７ｂは、スライド方向の長さが、磁気カード４のスライド操作とスライド後の磁気カード４の抜き取り操作の妨げにならないよう十分に短い長さに構成されている。
【００５２】
以上に説明した実施例３において、操作者は、親指と人差し指で挟んだ磁気カード４を、カードリーダ１の上方向よりスライド溝２に挿入する。図８（Ｃ）の右側面図に示す支持柱部７ｂの部分で、一瞬、人差し指側が開くが、開口部分７ａの部分で再び磁気カード４を親指と人差し指で挟み、そのまま挟んだ状態で、開口部分７ａに従い磁気カード４をスライドする。
【００５３】
そして、カードリーダ１の下まで磁気カード４をスライドした後、支持柱部７ｂの部分を通過し、磁気カード４を取り除く。
【００５４】
このようにして、容易に精度よく磁気カード４の磁気情報を読み取ることができるカードリーダ１を提供することができる。磁気カード４は、スライド溝２へ挿入すると、カードフォルダ７によって保持されてスライドする際の角度が規制されるから、磁気ストライプ４ａに磁気ヘッド３を確実に対向させて磁気情報を良好に読み取ることができる。
【実施例４】
【００５５】
図９は、実施例４のカードフォルダ８近傍の斜視図を示し、図１０は、カードフォルダ８の外観を示す説明図であり、図１１は、カードフォルダ８を拡大して説明する説明図である。  
図９に示すように、カードフォルダ８は、カードリーダ１のスライド溝２の底部にスライド可能に設けられている。この実施例では、スライド溝２がガイドとしてのレール機能を有する。
【００５６】
このカードフォルダ８は、図１０（Ａ）の正面図に示すように、スライド方向の長さが磁気カード４の長手方向の長さよりも短く形成されている。また、図１０（Ｂ）の右側面図に示すように、カードフォルダ８の深さ（高さ）は、スライド溝２に挿入された磁気カード４の底辺から磁気ストライプ４ａまでの長さよりも短く構成されている。これにより、カードフォルダ８に収納した磁気カード４をスライドさせると、図１０（Ｃ）の底面図に示すように、磁気ストライプ４ａが磁気ヘッド３に対向する。
【００５７】
図１１（Ａ）に示すように、カードフォルダ８の上側（スライド開始側）には開口部３０３が設けられ、下側（スライド終了側）には高さ約５ｍｍ程度の係止面３０４が設けられている。また、カードフォルダ８における磁気カード４の挿入側には開口部３０５が設けられており、カードフォルダ８のスライド方向の長さ３０６は磁気カード４の半分以上の長さに構成されている。
【００５８】
図１１（Ｂ）に示すように、カードフォルダ８の底側内部には、支持軸３０２を中心として、スイッチ機構３０１が設けられている。このスイッチ機構３０１は、支持軸３０２を中心とする若干の回転動作により、スライド方向に平行なスライド許容状態と、スライド方向に対して適宜の角度を有するスライド停止状態とに姿勢変更を行う。
【００５９】
スライド溝２の底面２ａには、スライド方向に複数の凹部２ｂが設けられている。
【００６０】
この底面２ａとスイッチ機構３０１とにより、ロック手段が構成される。これにより、スイッチ機構３０１が支持軸３０２を中心に回転してスライド先端側部３０１ａが底面側へ突出している状態のとき、このスライド先端側部３０１ａがスライド溝２の凹部２ｂに引っかかり、カードフォルダ８の動作をロックする。
【００６１】
操作者が磁気カード４をスライド溝２に差し込み、さらにカードフォルダ８に磁気カード４を差し込むと、磁気カード４にスイッチ機構３０１のスライド後端側部３０１ｂが押圧されてスイッチ機構３０１がスライド方向と並行になり（図１１（Ｂ）の点線参照）、スライド先端側部３０１ａが凹部２ｂから抜け出てロック解除される。
【００６２】
これによりカードフォルダ８がスライド溝２に沿ってスライド可能となる。スライド途中で磁気カード４を抜いたり磁気カード４の角度が変わったりすると、スライド先端側部３０１ａが凹部２ｂに入り込んでロックされ、それ以上スライドできなくなる。このため、しっかりスライドできるように磁気カード４を操作者がスライドできれば、磁気情報を読み取ることができ、スライド時の姿勢が正しくなければ、正しくスライドできずに磁気情報を読み取ることができなくなる。このとき、ロックされて磁気カード４をスライドできなくなるため、磁気情報が正しく読み取られないことを操作者が容易かつ明確に知ることができる。
【００６３】
以上に説明した実施例４において、操作者は、磁気カード４を、カードリーダ１の上方向よりスライド溝２に挿入してさらにカードフォルダ８に挿入する。このとき、磁気カード４がスイッチ機構３０１を押圧し、スライド先端側部３０１ａが凹部２ｂから抜け出て、スライド先端側部３０１ａがスライド溝２稼動する。これにより、カードフォルダ１のロックが解除され、スライドが可能となる。
【００６４】
このように、磁気カード４でスイッチ機構３０１を押し込む構造とすることで、磁気カード４はスライド溝２の底面２ａと平行の姿勢を保つことが可能となり、安定した磁気カード４のスライドを実現することができる。
【００６５】
なお、この実施例４で説明したスイッチ機構３０１および凹部２ｂは、実施例１，２，３に設けてもよい。この場合、実施例１，２，３でも、実施例４と同じロック機能を実現することができる。
【００６６】
この発明は、上述の実施形態の構成のみに限定されるものではなく、多くの実施の形態を得ることができる。
【産業上の利用可能性】
【００６７】
この発明は、カード類を読み取らせる様々な情報端末装置に用いることができる。
【符号の説明】
【００６８】
１…カードリーダ、２ｂ…凹部、３…磁気ヘッド、４…磁気カード、５，５Ａ，７，８…カードフォルダ、６…レール、７ａ…開口部分、７ｄ，１０１…引っ掛け部分、７ｅ，１０２…支持部分、１０…情報端末装置、１３…制御装置、１４…ディスプレイ、１５…支持軸、１０４，１０５…リンク、１０６…ワイヤー、３０１…スイッチ機構
【図１】
2011227599.tif 000003
【図２】
2011227599.tif 000004
【図３】
2011227599.tif 000005
【図４】
2011227599.tif 000006
【図５】
2011227599.tif 000007
【図６】
2011227599.tif 000008
【図７】
2011227599.tif 000009
【図８】
2011227599.tif 000010
【図９】
2011227599.tif 000011
【図１０】
2011227599.tif 000012
【図１１】
2011227599.tif 000013